(57)【要約】【課題】  株価移動平均値表に記入した週の終値を基礎に、カブスケ−ルを用いて６週および１３週の移動平均値の算出が、正確に、迅速に、連続して計算できることを特徴とする株価管理表と計算補助具の提供。【解決手段】週の終値である基準値にカブスケ−ルの窓を当て、６週前と１３週前の終値位置ならびに前６週合計、前１３週合計それぞれの位置に読取り窓を設け、更に６週合計、１３週合計、６週平均値、１３週平均値の計算結果をそれぞれ書き込める位置に窓を開けたカブスケ−ルを表と一体化して使用する。【選択図】  図  ４
2006159876.tif 000002
【特許請求の範囲】
【請求項１】
書込み可能な紙体と、年月日、週の終値、基準週あるいは基準日から遡った株価合計値と、基準週あるいは基準日から遡った株価合計値から算出された移動平均値に関する項目が、順次行あるいは列に書き込める表印刷部と、株式対象銘柄に関する情報を記載する株式対象銘柄記入欄とよりなる株式管理表。
【請求項２】
２枚目以降を表印刷部が連続した状態で順次貼付使用するための切り取り位置表記を設けたことを特徴とする請求項１記載の株式管理表。
【請求項３】
紙体の表印刷部上をスライドさせて使用するカブスケ−ルと、表印刷部の各項目にあたる位置それぞれに設けられた読取り窓と記入用窓とよりなる算出補助具を具備する株式管理表。
【発明の詳細な説明】
【技術分野】
【０００１】  本発明は、株価の移動平均値を簡単に管理する様式管理表と計算補助具に関するものである。
【背景技術】
【０００２】  株価移動平均値の出し方は、株式業界新聞や専門図書には、計算方法のみの説明だけで今一つ具体的な手法や記録すべき様式管理には欠けており、個人が特定企業の銘柄の株価移動平均値を表として管理できるものは無く、実際に計算するときには間違いも多く、かなりの手間がかかっていた。
【発明の開示】
【発明が解決しようとする課題】
【０００３】（イ）従来は適切な記録用紙がなかったため、株価の終値を確認し、記録し、必要により数週または数日の合計などは任意な用紙にメモしながら株価移動平動平均値を算出、これらの基礎数字の遡及拾い出しに目移りがし計算に手間取っていた。
（ロ）移動平均値を算出するための６週前或いは１３週前の終値（または、５日前、２５日前）の読み違えなども多く（＋）（−）（÷）の四則計算を正確に行なうのに神経を使っていた。
本発明は、これらの問題点を解決するために考案されたものである。
【課題を解決するための手段】
【０００４】（イ）書き込み可能な紙体と、紙体に設けられた株式対象銘柄に関する情報を記載する記入欄と、年月日、週の終値、基準週あるいは基準日から遡った合計、基準週あるいは基準日から遡った合計から算出された移動平均値に関する項目が、順次書き込める表印刷部とよりなる様式管理表。
（ロ）上記の表に、毎週（または毎日）連続記入した終値数字の中から必要な数値だけが読み取れる窓や、算出した合計値及び移動平均値を書き込める窓を有する計算補助具、として考案したプラスチック製のカブスケ−ルとより構成される。
【発明の効果】
【０００５】▲１▼  移動平均値の計算は、表に毎週の終値を記入し、この終値位置を基準にしてカブスケ−ルを表に重ねて使用すれば、不必要な数値は一切出ないように必要な箇所のみ読み取り窓を開けてあるため、数字の読み違えや、欄の間違え等が起こり得ず正確に処理できる。
▲２▼  計算方法は、週の終値を基準にカブスケ−ルを使用し、読み取り窓に現われた前６週合計、６週前終値、前１３週合計、１３週前終値等を読み、決められた計算方法に従い手際よく（＋）（−）（÷）を行ない結果を記録しておくことによりスピ−ドアップされ、数銘柄でも迅速に対応できる。
▲３▼  株式チャ−トに、逐次この移動平均値を書き加えることにより移動平均線が描け、グランビルの法則に基づく株価トレンドの変化を探り株式売買の重要な判断資料とすることができる。
▲４▼  移動平均値表の記入欄が一杯になり書き切れなくなったときは、２枚目の項目欄以上を切り捨て前表の最下段欄に繋げれば、連続して何カ月でもデ−タを記録でき、手元において何時でも資料を開き研究することができる。
【発明を実施するための最良の形態】
【０００６】以下、本発明の実施の形態について説明する。
（イ）図１は、銘柄ごとの株価や、計算デ−タ、移動平均値などを簡単に管理する様式管理表である。
表には毎週ごと順次列記できるような連続した欄を設け、上部には記入すべき各項目（年月日、週の終値、６週合計、移動平均値、１３週合計、移動平均値、出来高）を表示する。
また下部には、上場市場名と銘柄コ−ド番号、銘柄名記入欄を設ける。なお２枚目を貼付し、数カ月でも長期間書き込み使用できるよう、項目欄の下線に沿って切り取り位置表示線が入れてある。
（ロ）図２は、株価移動平均値表と一体となって使用するプラスチック製のカブスケ−ルである。
このカブスケ−ルには、株価移動平均値表の数字読み取りや記入に必要な位置にあわせて、読み取り窓（１８）と記入窓（１９）が設けられている。
読み取り窓（１８）として、１８ａ、１８ｃ、１８ｇ、１８ｆ、を設け記入窓（１９）として、１９ｂ、１９ｄ、１９ｅ、１９ｈ、１９ｉ、がある。
【実施例】
【０００７】（イ）株価移動平均値表の使用方法
表の最下段欄に、株価移動平均値算出対象銘柄の株式会社クボタの上場市場名東京ならびにコ−ド番号６３２６、銘柄名クボタを記入する。
つぎに、記入した計算基準日１６年８月６日とその週の終値４９９を表に重ねたスケ−ルの窓Ｂに当て、下記（ロ）に説明する計算方法により算出した６週合計３２０２を窓Ｄに、同移動平均値５３４を窓Ｅに、１３週合計６８４４を窓Ｈに、同移動平均値５２６を窓Ｉにそれぞれの位置に逐次記入する。
同様に毎週週の終値を記入し、計算し、結果を記録していくことにより、時系列的に株価移動平均値をこの表により管理することができる。なお、この表の１６年４月２日以前６週間の終値は別紙にメモして用い６週合計を計算できる同年月日から記入してある。
また１３週は、５月７日までは１３週合計が計算出来ないため空欄としており、５月１４日から計算結果の１３週合計と同移動平均値を記入９月１０日までを表としたものである。
（ロ）カブスケ−ルの使用方法
１６年８月６日の週の終値を基準日とした場合の計算について説明する。この週の終値４９９を表に記入し、表の上面に置いたカブスケ−ルをスライドさせて、窓Ｂをこの数字の上にあて固定する。
するとスケ−ルの窓Ａには前６週合計値３２７８が、窓Ｃには６週前の終値５７５が自動的に現われ読み取れる。
従って、この数値をもとに６週移動平均値の算出はつぎのような方法で計算する。
Ａ＋Ｂ−Ｃ＝Ｄ  （Ｄは常に６週合計となり窓Ｄに記入する）
Ｄ÷６＝Ｅ  （Ｅは６週の移動平均値で窓Ｅに記入する）
即ち、表とスケ−ルを一体化して使用することにより、６週移動平均値を簡単に正確にしかもスピ−デイに算出することができる。
同じように、１３週移動平均値の算出は、スケ−ルを固定したままにしておくと、窓Ｆには前１３週合計値６８２８が、窓Ｇには１３週前の終値４８３が現われ読み取ることができる。
これらの読み取った数値をもとに、つぎのように計算する。
Ｆ＋Ｂ−Ｇ＝Ｈ  （Ｈは常に１３週合計となり窓Ｈに記入する）
Ｈ÷１３＝Ｉ  （Ｉは１３週移動平均値で窓Ｉに記入する）
このように計算することにより、１３週移動平均値も極めて容易に得ることができる。
７週目以降も週の終値の記入、計算、移動平均値、などを全く同様の方法で計算記録し、継続して管理していくことができる。
また記入が何カ月にも及び、表に書き切れなくなった場合は、次表の項目欄の点線上部を切り捨て表最下段に繋げれば、更に連続して長期間使用することが可能である。
株式チャ−ト上の、ごく短期間の指標となる５日間並びに２５日間の移動平均値の算出も、６週合計を５日合計に、１３週合計を２５日合計と読み変えて計算することにより、この移動平均値もすべて同様の手法で管理することができる。
なお、この計算関係がわかるように、カブスケ−ルには
Ａ＋Ｂ−Ｃ＝Ｄ  （６週合計をＤに記入する）
Ｄ÷６＝Ｅ  （６週移動平均値をＥに記入する）
Ｆ＋Ｂ−Ｇ＝Ｈ  （１３週合計をＨに記入する）
Ｈ÷１３＝Ｉ  （１３週移動平均値をＩに記入する）
という表記があらかじめなされている。
【図面の簡単な説明】
【０００８】
【図１】  本発明の株価移動平均値表を示す図面
【図２】  本発明のカブスケ−ルを示す図面
【図３】  本発明の使用状態図
【図４】  本発明の使用状態図
【図５】  本発明の使用状態図
【図６】  チャ−トに移動平均値を記入し、移動平均線を描いたことを示す図面
【符号の説明】
【０００９】          １  １；１ａ；１ｂ  株価移動平均値表
２  表
３  表の名称
４  年月日記入欄
５  週の終値記入欄
６  ６週終値の合計記入欄
７  ６週終値の移動平均値記入欄
８  １３週終値の合計記入欄
９  １３週終値の移動平均値記入欄
１０  週間出来高の合計記入欄
１１  切り取り位置表示線
１２  上場市場名
１３  銘柄のコ−ド番号
１４  銘柄の名称
１５  計算補助具の名称
１６  カブスケ−ル
１７  カブスケ−ルの表
１８  読み取り窓  １８ａ；１８ｃ；１８ｆ；１８ｇ
１９  記入窓  １９ｂ；１９ｄ；１９ｅ；１９ｈ；１９ｉ
【図１】
2006159876.tif 000003
【図２】
2006159876.tif 000004
【図３】
2006159876.tif 000005
【図４】
2006159876.tif 000006
【図５】
2006159876.tif 000007
【図６】
2006159876.tif 000008